(57)【要約】【課題】  簡単な工程で穿刺可能で、再使用もできず、１度も穿刺針を触ったり見たりすることなく安全に装着から廃棄までの１連の採血作業を行うことが可能な穿刺器具、および該穿刺器具の交換用の穿刺針カートリッジを収納するカセットを提供することを目的とする。【解決手段】  穿刺器具の交換用穿刺針カートリッジを複数個立設して収納することができる穿刺針カートリッジ収納用カセットを、表面のフイルムを破断して穿刺器具に装着し、使用後は元の位置に廃棄できる構成とした。【選択図】  図１
2005342326.tif 000002
【特許請求の範囲】
【請求項１】
突出した針先部分を有するランセット本体、及び前記ランセット本体の針先部分を保護する針先保護キャップを有するランセットと、前記ランセットを収納する筒状のホルダーとからなる複数個の穿刺針カートリッジが、１つの基台に一体的に形成された側壁により区分し立設してなる複数個の収納室に、それぞれ個別に収納され、
前記収納された複数個の穿刺針カートリッジの針先保護キャップの先端は、それぞれ、前記１つの基台上に立設されてなる、
ことを特徴とする穿刺針カートリッジ収納用カセット。
【請求項２】
請求項１に記載の穿刺針カートリッジ収納用カセットにおいて、
前記複数個の穿刺針カートリッジは、前記１つの基台上に、２次元に並列して配置されてなる、
ことを特徴とする穿刺針カートリッジ収納用カセット。
【請求項３】
請求項１又は請求項２に記載の穿刺針カートリッジ収納用カセットにおいて、
前記側壁により形成され、前記穿刺針カートリッジを収納する複数個の収納室は、該複数個の収納室の上部がフイルム状部材により一体的に覆われてなる、
ことを特徴とする穿刺針カートリッジ収納用カセット。
【請求項４】
請求項３に記載の穿刺針カートリッジ収納用カセットにおいて、
前記フイルム状部材は、前記収納室を覆う部分の中心に、破断されやすいような切り込みを有する、
ことを特徴とする穿刺針カートリッジ収納用カセット。
【請求項５】
請求項１乃至請求項４のいずれかに記載の穿刺針カートリッジ収納用カセットにおいて、
前記穿刺針カートリッジは、該穿刺針カートリッジを前記基台から引き離すと、前記ランセット本体の針先部分が前記ホルダーの中で露出し、前記針先保護キャップは前記基台上に立設されたまま残る、
ことを特徴とする穿刺針カートリッジ収納用カセット。
【請求項６】
請求項５に記載の穿刺針カートリッジ収納用カセットにおいて、
前記穿刺針カートリッジ収納用カセットの元の収納室に、使用済みの前記穿刺針カートリッジを、該穿刺針カートリッジが穿刺器具に保持装着されたままで挿入し、前記基台に残された針先保護キャップに使用済み前記ランセット本体の針先部分を捕獲させ、さらに前記ホルダーの外側及び前記側壁に設けた凹凸部を係合させ、この状態で前記穿刺器具を引き抜くことにより、使用済みの前記穿刺針カートリッジが、前記穿刺器具から取り外されて、前記収納室に廃棄されるようにしてなる、
ことを特徴とする穿刺針カートリッジ収納用カセット。
【請求項７】
請求項１に記載の穿刺針カートリッジ収納用カセットに収納されている穿刺針カートリッジと組み合わせて用いられる採血用穿刺器具であって、
該採血用穿刺器具本体を、前記穿刺針カートリッジの後端側からその軸方向に沿って、該穿刺針カートリッジに向けて、該穿刺針カートリッジをその内部に挿入するよう移動させることにより、該採血用穿刺器具本体の内部に設けたプランジャーが前記ランセット本体の後部を自動的に保持するようにする、
ことを特徴とする採血用穿刺器具。
【請求項８】
請求項７に記載の採血用穿刺器具において、
前記プランジャーが前記ランセット本体の後部を保持した後、前記穿刺針カートリッジに向けて該穿刺器具本体をさらに移動させると、前記ランセット本体により押されて前記プランジャーが該穿刺器具本体の後端方向に移動し、前記プランジャーを収容しているハウジングの先端部が前記プランジャーのランセット本体保持部分をロックし、この状態で前記採血用穿刺器具を引っ張ることにより前記穿刺針カートリッジの針先保護キャップとランセット本体を分離させ、前記穿刺針カートリッジが、前記針先部分を前記ホルダー内に露出させた状態で装着されるようにしてなる、
ことを特徴とする採血用穿刺器具。
【請求項９】
請求項８に記載の採血用穿刺器具において、
前記プランジャーの前記穿刺器具本体の後端方向への移動により、穿刺する際に必要な該穿刺器具本体の先端方向への付勢力が蓄えられる、
ことを特徴とする採血用穿刺器具。
【請求項１０】
請求項８に記載の採血用穿刺器具において、
穿刺を行う際の前記プランジャーの前記穿刺器具本体の先端方向への移動により前記ハウジング先端部と前記プランジャーとのロックが解除されるようにしてなる、
ことを特徴とする採血用穿刺器具。
【発明の詳細な説明】
【技術分野】
【０００１】
本発明は、採血などに用いる穿刺器具、及び穿刺針カートリッジ収納用カセットに関し、特に、複数個の穿刺針カートリッジを収納するカセットから一個ずつ穿刺針カートリッジを取り出し、さらに一個ずつ元の場所に廃棄する構成の採血用穿刺器具、及び該穿刺器具の交換用の穿刺針カートリッジを収納するカセットに関する。
【背景技術】
【０００２】
従来の穿刺器具、及び穿刺針カートリッジの収納形態については、図４を用いて説明する。
図４に示すように、従来の採血用穿刺器具４００は、穿刺器具本体４０１に、針先部分４０３を有するランセット４０４を収納しているホルダー４０６と、ランセット針先部分４０３を保護する針先保護キャップ４０５とからなる使い捨ての穿刺針カートリッジ４０２を装着させ、ランセット針先部分４０３によって指先や腕などを穿刺し、その穿刺した部位からの出血を測定に用いるものである。一般的に、穿刺針カートリッジ４０２は、４０７のようなナイロン袋や化粧箱にバラバラの状態で収納されており、穿刺器具への装着の際は１個ずつに袋から取り出され、個別に手で装着される。なお、穿刺前は、針先保護キャップ４０５をはずし、穿刺後は、再び針先保護キャップ４０５を取り付けて、該穿刺針カートリッジを穿刺器具本体４０１から取り外す必要がある。この一連の流れが一般的な採血作業である（例えば、特許文献１参照）。
【特許文献１】特開２０００−２４５７１７号公報
【発明の開示】
【発明が解決しようとする課題】
【０００３】
上述のように、穿刺針カートリッジがバラバラの状態で収納されている従来のランセットシステムでは、誤って他人の使用した穿刺針を使用してしまったり、穿刺器具に脱着する際に誤って刺してしまったり、使用した穿刺針カートリッジを手で取り外す必要性があったりなどと、感染の危険が考えられる。
また、穿刺針の装着から廃棄までの作業が煩わしく、危険な穿刺針カートリッジの再利用を助長していると考えられる。
【０００４】
本発明の目的は、簡単な工程で穿刺可能で、穿刺針カートリッジの再使用もできず、１度も穿刺針を触ったり見たりすることなく安全に装着から廃棄までの１連の採血作業を行うことが可能な穿刺器具、及び該穿刺器具の交換用の穿刺針カートリッジを収納するカセットを提供することにある。
【課題を解決するための手段】
【０００５】
上記課題を解決するために、本発明の請求項１にかかる穿刺針カートリッジ収納用カセットは、突出した針先部分を有するランセット本体、及び前記ランセット本体の針先部分を保護する針先保護キャップを有するランセットと、前記ランセットを収納する筒状のホルダーとからなる複数個の穿刺針カートリッジが、１つの基台に一体的に形成された側壁により区分し立設してなる複数個の収納室に、それぞれ個別に収納され、前記収納された複数個の穿刺針カートリッジの針先保護キャップの先端は、それぞれ、前記１つの基台上に立設されてなることを特徴とするものである。
これにより、複数個の穿刺針カートリッジを１つの基台上の複数個の個室に個別に収納することができ、まとまった収納が可能となり、１個の穿刺針カートリッジを穿刺器具への装着また穿刺器具からの元の位置への廃棄を、他のカートリッジの影響を受けることなく、衛生かつ安全に行うことができる。
【０００６】
また、本発明の請求項２にかかる穿刺針カートリッジ収納用カセットは、請求項１に記載の穿刺針カートリッジ収納用カセットにおいて、前記複数個の穿刺針カートリッジは、前記１つの基台上に、２次元に並列して配置されてなることを特徴とするものである。
これにより、複数個の穿刺針カートリッジを整然として収納することが可能となり、１個の穿刺針カートリッジを穿刺器具への装着また穿刺器具からの離脱を、他のカートリッジの影響を受けることなく、衛生かつ安全に行うことができる。
【０００７】
本発明の請求項３にかかる穿刺針カートリッジ収納用カセットは、請求項１又は請求項２に記載の穿刺針カートリッジ収納用カセットにおいて、前記側壁により形成され、前記穿刺針カートリッジを収納する複数個の収納室は、該複数個の収納室の上部がフイルム状部材により一体的に覆われてなることを特徴とするものである。
これにより、複数個の穿刺針カートリッジを一体的かつ衛生に保管することができる。
【０００８】
本発明の請求項４にかかる穿刺針カートリッジ収納用カセットは、請求項３に記載の穿刺針カートリッジ収納用カセットにおいて、前記フイルム状部材は、前記収納室を覆う部分の中心に、破断されやすいような切り込みを有することを特徴とするものである。
これにより、穿刺針カートリッジを穿刺器具に装着する際、前記フィルム状部材を容易に破断して収納室内の穿刺針カートリッジを簡単に取り出すことができる。
【０００９】
本発明の請求項５にかかる穿刺針カートリッジ収納用カセットは、請求項１乃至請求項４のいずれかに記載の穿刺針カートリッジ収納用カセットにおいて、前記穿刺針カートリッジは、該穿刺針カートリッジを前記基台から引き離すと、前記ランセット本体の針先部分が前記ホルダーの中で露出し、前記針先保護キャップは前記基台上に立設されたまま残ることを特徴とするものである。
これにより、針先部分に触れること、見ることなく、穿刺針カートリッジを、その針先部分をホルダーの中で露出させた状態で安全に穿刺器具に装着することが可能となり、また、針先保護キャップは基台上に立設されたまま残されたので、後に使用済みの穿刺針カートリッジを元の位置に整然に廃棄することができる。
【００１０】
本発明の請求項６にかかる穿刺針カートリッジ収納用カセットは、請求項５に記載の穿刺針カートリッジ収納用カセットにおいて、前記穿刺針カートリッジ収納用カセットの元の収納室に、使用済みの前記穿刺針カートリッジを、該穿刺針カートリッジが穿刺器具に保持装着されたままで挿入し、前記基台に残された針先保護キャップに使用済み前記ランセット本体の針先部分を捕獲させ、さらに前記ホルダーの外側及び前記側壁に設けた凹凸部を係合させ、この状態で前記穿刺器具を引き抜くことにより、使用済みの前記穿刺針カートリッジが、前記穿刺器具から取り外されて、前記収納室に廃棄されるようにしてなることを特徴とするものである。
これにより、針先部分を触れること、見ることなく、使用済みの穿刺針カートリッジを簡単に穿刺針カートリッジ収納用カセットの元の収納室に廃棄することができる。
【００１１】
本発明の請求項７にかかる採血用穿刺器具は、 請求項１に記載の穿刺針カートリッジ収納用カセットに収納されている穿刺針カートリッジと組み合わせて用いられる採血用穿刺器具であって、該採血用穿刺器具本体を、前記穿刺針カートリッジの後端側からその軸方向に沿って、該穿刺針カートリッジに向けて、該穿刺針カートリッジをその内部に挿入するよう移動させることにより、該採血用穿刺器具本体の内部に設けたプランジャーが前記ランセット本体の後部を自動的に保持するようにすることを特徴とするものである。
これにより、簡単の動作で、穿刺針カートリッジを穿刺器具内に取り入れることができる。
【００１２】
本発明の請求項８にかかる採血用穿刺器具は、請求項７に記載の採血用穿刺器具において、前記プランジャーが前記ランセット本体の後部を保持した後、前記穿刺針カートリッジに向けて該穿刺器具本体をさらに移動させると、前記ランセット本体により押されて前記プランジャーが該穿刺器具本体の後端方向に移動し、前記プランジャーを収容しているハウジングの先端部が前記プランジャーのランセット本体保持部分をロックし、この状態で前記採血用穿刺器具を引っ張ることにより前記穿刺針カートリッジの針先保護キャップとランセット本体を分離させ、前記穿刺針カートリッジが、前記針先部分を前記ホルダー内に露出させた状態で装着されるようにしてなることを特徴とするものである。
これにより、針先を接触したり見たりすることなく、穿刺針カートリッジを穿刺器具内に簡単に装着することができる。
【００１３】
本発明の請求項９にかかる採血用穿刺器具は、請求項８に記載の採血用穿刺器具において、前記プランジャーの前記穿刺器具本体の後端方向への移動により、穿刺する際に必要な該穿刺器具本体の先端方向への付勢力が蓄えられることを特徴とするものである。
これにより、１つの動作で、穿刺針カートリッジの装着を完了させると同時に、穿刺の準備をも整うことができる。
【００１４】
本発明の請求項１０にかかる採血用穿刺器具は、請求項８に記載の採血用穿刺器具において、穿刺を行う際の前記プランジャーの前記穿刺器具本体の先端方向への移動により前記ハウジング先端部と前記プランジャーとのロックが解除されるようにしてなることを特徴とするものである。
これにより、穿刺針カートリッジを、該穿刺針カートリッジを穿刺器具本体に装着したまま、穿刺針カートリッジ収納用カセットの元の位置に簡単に廃棄することができる。
【発明の効果】
【００１５】
本発明に係る穿刺針カートリッジ収納用カセットによれば、複数個の穿刺針カートリッジを１つの基台上に個別に整然かつ衛生に収納することが可能で、針先を触れる、見ることなく、穿刺針カートリッジを穿刺器具に簡単かつ安全に装着し、さらに針先を触れる、見ることなく、元の収納場所に廃棄することができるという効果を有する。
【００１６】
また、本発明に係る採血用穿刺器具によれば、穿刺針カートリッジの装着から廃棄までの１連の穿刺作業を簡単に且つ安全に行うことができるという効果を有する。
【発明を実施するための最良の形態】
【００１７】
以下、本発明の実施の形態を、図面を参照しながら説明する。
（実施の形態１）
図１は、本発明の実施の形態１にかかる穿刺針カートリッジ収納用カセットの外観図である。
【００１８】
図１に示すように、穿刺針カートリッジ収納用カセット１００は、基台１０１と、側壁１０２と、切り込み１０４を有するフイルム状部材１０３を有し、前記基台１０１と側壁１０２とフイルム状部材１０３に囲まれて形成された複数の収納室に、それぞれ穿刺針カートリッジ１０５が個別に収納されている。
【００１９】
図２（ａ）は、未使用時の前記穿刺針カートリッジ収納用カセットの構成図である。
図２（ｂ）は、未使用時の前記穿刺針カートリッジ収納用カセットの断面図である。
図２（ａ）に示すように、本実施の形態１にかかる穿刺針カートリッジ収納用カセットは、側壁１０２により仕切られて形成された収納室の中に、個別に穿刺針カートリッジ１０５が収納されている。
【００２０】
図２（ｂ）に示すように、穿刺針カートリッジ１０５は、突出した針先部分３０３を有するランセット本体３０２、及び前記針先部分３０３を保護する針先保護キャップ３０４とを有するランセットと、前記ランセットを収納する筒状のホルダー３０１とからなっている。なお、上記ランセット本体３０２は、把持手としての柱体３０６と、凸部としての円盤体３０８と、爪部３０９とを有し、上記針先保護キャップ３０４は、その底部には、基台１０１と一体的に形成された側壁１０２の底部と係合する係合部３０５を有する。上記ホルダー３０１の内側には、上記ランセット本体３０２の円盤凸部３０８、爪部３０９とそれぞれ係合する凸部３１０、凸部３１１が設けられ、また、上記ホルダー３０１の外側には、収納用カセットの側壁１０２の凸部１０２ａと係合する凸部３０１ａが設けられている。
【００２１】
なお、上記穿刺針カートリッジ１０５は、ランセット本体３０２と、ホルダー３０１とが互いに固定されておらず、基本的に穿刺器具に取り付けられていない場合には、ランセット本体３０２が穿刺針カートリッジ１０５の中のホルダー３０１で前後に移動可能である。
【００２２】
次に、前記穿刺針カートリッジ収納用カセットに収納されている穿刺針カートリッジと合わせて用い穿刺を行う採血用穿刺器具について、図３（ａ）を用いて説明する。
【００２３】
図３（ａ）は、本発明の実施の形態１にかかる採血用穿刺器具の概略図である。
図３（ａ）に示すように、採血用穿刺器具２００は、ハウジング２０１の内部に長手方向に摺動するプランジャー２０２を備え、更に穿刺用の穿刺ボタン２０３と、穿刺深さを調節するための穿刺深さ調節リング２０４と、穿刺に必要な付勢力を蓄えるためのチャージスプリング２０５を有し、該穿刺器具の先端に前記穿刺針カートリッジ収納用カセットに収納されている穿刺針カートリッジ１０５を装着して穿刺を行う。
【００２４】
次に、図３（ｂ）、図３（ｃ）、図３（ｄ）を用いて、前記穿刺器具、及び前記穿刺針カートリッジ収納用カセットの構造、及びそれらの使用方法について説明する。
【００２５】
まず、穿刺針カートリッジの前記穿刺器具への装着を、図３（ｂ）を用いて説明する。
図３（ｂ）は、前記穿刺針カートリッジを前記穿刺器具に装着する際の断面図である。
図３（ｂ）に示すように、穿刺器具２００のハウジング２０１は、プランジャー２０２のランセット本体保持部２０２ａの開閉をコントロールするプランジャーロック部２０１ａを有する。
【００２６】
穿刺針カートリッジ１０５を穿刺器具２００に装着する際、前記穿刺器具２００を把持して、前記穿刺針カートリッジの軸方向に、該穿刺針カートリッジに向かって、該穿刺針カートリッジが該穿刺器具に入るように、収納用カセット１００のフィルム状部材の切り込み１０４を破断して該穿刺器具を移動させると、穿刺針カートリッジ１０５の外周部がハウジング２０１に圧入され、穿刺針カートリッジのランセット本体３０２の柱体３０６が、穿刺器具２００のプランジャー２０２のランセット本体保持部２０２ａに入り、ランセット本体保持部２０２ａの先端の突起が柱体３０６に設けた窪みと嵌合し、これにより、ランセット本体３０２がプランジャー２０２により保持される。この状態で、前記穿刺針カートリッジの軸方向に、該穿刺針カートリッジに向かって該穿刺器具をさらに移動させると、ランセット本体３０２が前記プランジャー２０２を押し、プランジャー２０２が穿刺器具本体の後端方向に移動するため、穿刺器具２００のハウジング２０１のプランジャーロック部２０１ａは、ランセット本体保持部２０２ａが開口しないように該ランセット本体保持部２０２ａをロックする。これにより、穿刺器具２００に穿刺針カートリッジ１０５を装着させたままの状態で、穿刺針カートリッジ収納用カセット１００から引き抜くことを可能にしている。
【００２７】
なお、上記のプランジャー２０２の後端方向の移動はチャージスプリング２０５を引くことになるため、チャージスプリング２０５に穿刺する際に必要な先端方向への付勢力が同時に蓄えられることとなる。
【００２８】
このロックされた状態で、前記穿刺器具２００を前記収納用カセット１００から引き離すと、穿刺針カートリッジのホルダー３０１の内側凸部３１０とランセット本体３０２の凸部３０８の係合により、穿刺針カートリッジ１０５は、そのホルダー３０１とランセット本体３０２と共に、収納用カセット１００から引き抜かれ、前記穿刺器具２００に、該穿刺器具のチャージスプリング２０５が付勢された状態で装着される。他方、穿刺針カートリッジの針先保護キャップ３０４は、そのまま収納用カセット１００の基台１０１上に残る。
【００２９】
なお、ここの穿刺針カートリッジ１０５を収納室から引き抜く場合では、ホルダー凸部３０１ａと側壁凸部１０２ａとの係合により、カートリッジ１０５が引き抜かれることに抵抗があるものの、ランセット本体３０２がプランジャー２０２と強固に嵌合されかつロックされているために、ランセット本体３０２を強力に引くことができる。即ち、ここでは、ホルダー凸部３０１ａと側壁凸部１０２ａとの係合力より、ランセット本体３０２の凸部３０８とカートリッジホルダー３０１の内部凸部３１０の係合力、及びランセット本体３０２がプランジャー２０２とロックされている力の双方が強いことで、この引き抜きを可能にしている。
【００３０】
このように穿刺針カートリッジ１０５を収納用カセット１００から引き離して穿刺器具２００に装着完了した状態を、図３（ｂ）に示しいている。
【００３１】
そして、穿刺器具２００を用いて穿刺を行う際、まず、穿刺深さ調節リング２０４を回して所定の穿刺深度を決め、穿刺ボタン２０３を押すことにより、チャージスプリング２０５を付勢から解放し、プランジャー２０２を該チャージスプリング２０５の弾性力により穿刺器具の先端方向へ移動させる。ランセット本体３０２は、プランジャー２０２の軸方向の摺動につれて、穿刺器具の軸方向にそって先端方向へ移動させられ、そして、ランセット針先部分３０３はホルダー３０１から突き出して、人体の所定場所を穿刺することになる。この場合、爪部３０９は可とう性の高い材質で出来ているために、穿刺針カートリッジ１０５の中で、ランセット本体３０２が前進する方向の動きを妨げない。また、穿刺針カートリッジ１０５が穿刺器具に装着したとき、穿刺針カートリッジ１０５の外周部であるホルダー３０１がハウジング２０１に圧入されて嵌合されているため、穿刺を行う際は、ホルダー３０１を穿刺器具内に残したまま、針先を有するランセット本体３０２のみをプランジャー２０２により押出されることとなる。
【００３２】
なお、この穿刺際のランセット本体３０２及びプランジャー２０２の先端方向への移動で、前記ハウジング先端部２０１ａとプランジャー先端２０２ａとのロックが解除される。
【００３３】
穿刺動作が終わった瞬間、チャージスプリング２０５が自由位置に戻るため、チャージスプリング２０５に連結しているプランジャー２０２は、穿刺器具本体のハウジングの中に後退し、プランジャー２０２に保持されている針先部分３０３を有するランセット本体３０２も、突き出した位置から、完全にホルダー３０１に納まるように、該ホルダー３０１に後退する。この後退の過程で、ランセット本体３０２の爪部３０９が、ホルダー３０１の内側凸部３１１と係合するように本穿刺針カートリッジは構成されている。これにより、穿刺を終わったランセット本体３０２の位置（図３（ｃ））は、穿刺準備状態の位置（図３（ｂ））より、先端方向へ移動したことになる。
【００３４】
このように穿刺を終了し、針先部分３０３が完全にホルダー３０１に戻った状態の穿刺針カートリッジ、および穿刺器具２００を、図３（ｃ）の上部に示している。
【００３５】
次に、使用済みの穿刺針カートリッジを前記穿刺器具からの離脱、廃棄について、図３（ｃ）、図３（ｄ）を用いて説明する。
【００３６】
図３（ｃ）は、使用済みの前記穿刺針カートリッジを前記穿刺針カートリッジ収納用カセットに廃棄する際の断面図である。
図３（ｄ）は、使用済みの前記穿刺針カートリッジ廃棄後の前記穿刺針カートリッジ収納用カセットの断面図である。
【００３７】
上記のように、穿刺動作を行う際のランセット本体３０２及びプランジャー２０２の先端方向への移動により前記ハウジング先端部２０１ａとプランジャー先端２０２ａとのロックが解除されるため、使用済みの穿刺針カートリッジを、該穿刺器具本体に該穿刺針カートリッジを装着させたまま前記穿刺針カートリッジ収納用カセットの元の場所に戻すことが可能となり、該穿刺器具本体を引き抜くことにより、前記穿刺針カートリッジが前記穿刺針カートリッジ収納用カセットに残り、該穿刺器具のみ引き抜くことができる。
【００３８】
具体的には、図３（ｃ）および図３（ｄ）に示すように、穿刺後の穿刺針カートリッジ１０５を穿刺針カートリッジ収納用カセット１００の元の位置に廃棄させる際には、穿刺時のプランジャー２０２の移動によりプランジャーロック部２０１ａが解除されているため、穿刺器具を把持して使用済みの穿刺針カートリッジを、穿刺針カートリッジ収納用カセット１００の元の収納室に前記切り込み１０４を通って挿入すると、収納室の基底に残っていた針先保護キャップ３０４は、使用済みのランセット本体３０２の針先部分３０３を捕らえ、さらに該穿刺針カートリッジ１０５を収納室に移動させると、穿刺針カートリッジ１０５のホルダー３０１の外側の凸部３０１ａと収納室の側壁凸部１０２ａが係合し、この状態で該穿刺器具本体を引き抜くと、ランセット本体３０２を把持して引き抜く力は、ロック解除されているためにほとんど働かないので、前記穿刺針カートリッジ１０５が前記穿刺針カートリッジ収納用カセットに残り、該穿刺器具のみを引き抜くことができる。即ち、穿刺器具２００に穿刺針カートリッジ１０５を装着させたままの状態で、使用後の穿刺針カートリッジ１０５を穿刺針カートリッジ収納用カセットの元の位置に廃棄することができる。
【００３９】
穿刺針カートリッジ１０５が収納室に戻された後は、例えば収納用カセットが倒置されても、ホルダー凸部３０１ａと側壁凸部１０２ａとの係合力により、穿刺針カートリッジ１０５を収納用カセットの収納室内に止まらせて収納用カセットから脱落することはない。
【００４０】
このように、本実施の形態１による穿刺針カートリッジ収納用カセットでは、針先部分を有するランセット本体３０２、および前記針先部分をカバーする保護キャップ３０４を有するランセットと、該ランセットを収納する筒状のホルダーとからなる穿刺針カートリッジ１０５を、１つの基台と一体的に形成された側壁１０２により仕切られてなる複数の収納室に個別に収納し、さらに前記穿刺針カートリッジの保護キャップ３０４を前記基台上に立設し、前記複数の収納室の上部を、切り込み１０４を有するフィルム状部材により一体的に覆う構成とするようにしたので、上記切り込み１０４を破断して上記穿刺針カートリッジ収納用カセットから穿刺針カートリッジを引き抜いて穿刺器具に装着するとき、該穿刺針カートリッジは、その保護キャップ３０４が基台上に残され、針先部分をホルダー内に露出させた状態で穿刺器具に装着することが可能となり、これにより、針先部分を直接に接触したり見たりすることなく穿刺針カートリッジを衛生かつ安全に穿刺器具に装着することができ、また、使用済みの前記穿刺針カートリッジを、前記穿刺器具に装着されたまま、前記穿刺針カートリッジ収納用カセットの元の収納室に廃棄することができるようにしたので、１度も穿刺針を触ったり見たりすることなく安全に装着から廃棄までの１連の採血作業を行うことができる。また、使用時でも、針先部分をホルダー内に隠蔽できるので、使用者の恐怖心を和らげることができる。さらに、穿刺針カートリッジは、基台上に２次元に並列して配置されて個別に収納されているので、従来のバラバラとした収納方法に比べ、整然として使いやすい、管理しやすく、危険な穿刺針カートリッジの再利用を防止することができるというメリットがある。
【００４１】
また、本実施の形態１による採血用穿刺器具では、前記穿刺針カートリッジのランセット本体の後端を保持するプランジャー２０２と、該プランジャー２０２を収納する該採血用穿刺器具の収納用ハウジングを設け、さらに、該収納用ハウジングの先端に、ランセット本体の後端を保持した該プランジャー２０２の先端２０２ａをロックするロック部２０１ａを設け、前記穿刺針カートリッジを装着するときの、ランセット本体及びプランジャー２０２の穿刺器具本体の後端方向への移動で、前記ロック部２０１ａはプランジャー２０２の、ランセット本体の後端を保持する先端部２０２ａをロックするとともに、穿刺を行うための付勢力が蓄えられるようにしたので、簡単な動作で穿刺針カートリッジを装着、かつ穿刺可能状態にすると共に針先保護キャップも外すことができ、また、穿刺を行うときの前記ランセット本体及びプランジャー２０２の穿刺器具本体の先端方向への移動で前記ロックを解除するようにしたので、使用済みの穿刺針カートリッジを簡単に解放し、該穿刺針カートリッジを穿刺器具本体に装着したまま前記穿刺針カートリッジ収納用カセットの元の位置に廃棄することができる。
【産業上の利用可能性】
【００４２】
本発明にかかる穿刺針カートリッジ収納用カセットおよび穿刺器具は、簡単な工程で穿刺可能で、再使用もできず、１度も穿刺針を触ったり見たりすることなく安全に装着から廃棄までの１連の採血作業を行うことができるという効果を有し、採血を必要とする測定器を利用する場合などの、穿刺器具および該穿刺器具の交換用の穿刺針カートリッジを収納するカセットとして有用である。
【図面の簡単な説明】
【００４３】
【図１】本発明の実施の形態１にかかる穿刺針カートリッジ収納用カセットの外観図である。
【図２（ａ）】本発明の実施の形態１における未使用時の前記穿刺針カートリッジ収納用カセットの構成図である。
【図２（ｂ）】本発明の実施の形態１における未使用時の前記穿刺針カートリッジ収納用カセットの断面図である。
【図３（ａ）】本発明の実施の形態１にかかる穿刺器具の外観図である。
【図３（ｂ）】本発明の実施の形態１における、前記穿刺針カートリッジを前記穿刺器具に装着する際の断面図である。
【図３（ｃ）】本発明の実施の形態１における、使用済みの前記穿刺針カートリッジを前記穿刺針カートリッジ収納用カセットに廃棄する際の断面図である。
【図３（ｄ）】本発明の実施の形態１における、前記穿刺針カートリッジ廃棄後の前記穿刺針カートリッジ収納用カセットの断面図である。
【図４】従来の穿刺器具および穿刺針カートリッジの収納形態を示す図である。
【符号の説明】
【００４４】
１００  穿刺針カートリッジ収納用カセット
１０１  基台
１０２  側壁
１０２ａ  側壁凸部
１０３  フイルム状部材
１０４  切り込み
１０５  穿刺針カートリッジ
２００  穿刺器具
２０１  ハウジング
２０１ａ  ロック部分
２０２  プランジャー
２０２ａ  ランセット本体保持部
２０３  穿刺ボタン
２０４  穿刺深さ調節リング
２０５  チャージスプリング
３０１  ホルダー
３０１ａ  ホルダー凸部
３０２  ランセット本体
３０３  ランセット針先部分
３０４  針先保護キャップ
３０５  係合部
３０６  柱体
３０８  円盤凸部
３０９  爪部
３１０、３１１  凸部
４００  採血用穿刺器具
４０１  穿刺器具本体
４０２  穿刺針カートリッジ
４０３  ランセット針先部分
４０４  ランセット
４０５  針先保護キャップ
４０６  ホルダー
４０７  穿刺針カートリッジ収納袋
【図１】
2005342326.tif 000003
【図２（ａ）】
2005342326.tif 000004
【図２（ｂ）】
2005342326.tif 000005
【図３（ａ）】
2005342326.tif 000006
【図３（ｂ）】
2005342326.tif 000007
【図３（ｃ）】
2005342326.tif 000008
【図３（ｄ）】
2005342326.tif 000009
【図４】
2005342326.tif 000010